(57)【要約】【課題】本発明は、ガス燃料の供給が途絶えた場合であっても発電することができる燃料電池システムを提供する。【解決手段】都市ガス等のガス燃料の供給を受けて発電する燃料電池２０と、該燃料電池２０へのガス燃料を供給する為のガス管接続部２４ｃと、前記燃料電池２０へガス燃料の供給をする為の、ガスボンベ１７６の取付けが可能なボンベ取付部１７４と、を備えている。【選択図】図２
2019009035.tif 000002
【特許請求の範囲】
【請求項１】
都市ガス等のガス燃料の供給を受けて発電する燃料電池と、
該燃料電池へガス燃料を供給する為のガス管接続部と、
前記燃料電池へガス燃料の供給をする為の、ガスボンベの取付けが可能なボンベ取付部と、
を備えた燃料電池システム。
【請求項２】
前記ガス管接続部からのガス燃料の供給が遮断された際に、前記燃料電池に供給するガス燃料を前記ボンベ取付部からのガス燃料に切り替えるガス切替手段をさらに備えた請求項１記載の燃料電池システム。
【請求項３】
前記燃料電池を備えた燃料電池ユニットの作動に必要な電力の供給を外部から受ける為の電力供給路と、
前記燃料電池ユニットの起動に必要な電力の供給を受ける為の電池が取り付けられる電池取付部と、
をさらに備えた請求項１又は請求項２に記載の燃料電池システム。
【請求項４】
前記電力供給路からの電力の供給が遮断された際に、前記燃料電池ユニットに供給する電力を前記電池取付部からの電力に切り替える電力切替手段をさらに備えた請求項３記載の燃料電池システム。
【発明の詳細な説明】
【技術分野】
【０００１】
本発明は、燃料電池システムに関する。
【背景技術】
【０００２】
従来、ガス燃料を用いて発電する燃料電池システムが知られている（例えば、特許文献１参照）。
【０００３】
前記燃料電池システムは、都市ガス等の燃料の供給を受けて、発電するように構成されている。また、発電を開始する際には、商用電源の供給を受けるとともに、この電源を利用して内部機器を作動し発電を開始する。
【先行技術文献】
【特許文献】
【０００４】
【特許文献１】特開２００８−２６２８４９号公報
【発明の概要】
【発明が解決しようとする課題】
【０００５】
しかしながら、このような燃料電池システムにあっては、ガス燃料の供給を受け続ければ、発電した電気を利用して内部機器を作動できるので継続して発電できるが、ガス燃料の供給が途絶える災害時などでは発電できなくなるという問題があった。
【０００６】
本発明は、このような事情に鑑みてなされたものであり、ガス燃料の供給が途絶えた場合であっても発電することができる燃料電池システムを提供することを目的とする。
【課題を解決するための手段】
【０００７】
第一態様では、都市ガス等のガス燃料の供給を受けて発電する燃料電池と、該燃料電池へガス燃料を供給する為のガス管接続部と、前記燃料電池へガス燃料の供給をする為の、ガスボンベの取付けが可能なボンベ取付部と、を備えている。
【０００８】
例えば、災害発生時など外部からのガス燃料の供給が遮断された場合、ガス管接続部から燃料電池へのガス燃料の供給が途絶えることによって発電が不能となる。
【０００９】
しかし、第一態様では、ガスボンベが取り付けられるボンベ取付部を備えている。このため、このボンベ取付部にガス燃料を収容したガスボンベを取り付けることで、ガスボンベからのガス燃料が燃料電池へ供給される。これにより、燃料電池による継続的な発電が可能となる。
【００１０】
第二態様では、前記ガス管接続部からのガス燃料の供給が遮断された際に、前記燃料電池に供給するガス燃料を前記ボンベ取付部からのガス燃料に切り替えるガス切替手段をさらに備えている。
【００１１】
例えば、災害発生時など外部からのガス燃料の供給が遮断された際には、燃料電池に供給されるガス燃料がボンベ取付部からのガス燃料に切り替えられる。これにより、利便性が向上する。
【００１２】
第三態様では、前記燃料電池を備えた燃料電池ユニットの作動に必要な電力の供給を外部から受ける為の電力供給路と、前記燃料電池ユニットの起動に必要な電力の供給を受ける為の電池が取り付けられる電池取付部と、をさらに備えている。
【００１３】
すなわち、燃料電池を備えた燃料電池ユニットを作動するためには電力を要し、燃料電池ユニットを起動する際には、外部からの電力の供給を要する。
【００１４】
このため、燃料電池ユニット作動中に災害発生などにより外部からの電力の供給が遮断されても、発電した電力を利用して発電を継続できるが、燃料電池ユニット作動停止時に外部からの電力の供給が遮断された場合、燃料電池ユニットを起動できなくなり得る。
【００１５】
しかし、第三態様では、電池が取り付けられる電池取付部を備えている。このため、電池取付部にバックアップ用の電池を取り付けることで、この電池から燃料電池ユニットの起動に必要な電力が供給される。これにより、燃料電池による発電の開始が可能となる。
【００１６】
第四態様では、前記電力供給路からの電力の供給が遮断された際に、前記燃料電池ユニットに供給する電力を前記電池取付部からの電力に切り替える電力切替手段をさらに備えている。
【００１７】
例えば、災害発生時など外部からの電力の供給が遮断された際には、燃料電池ユニットに供給される電力が電池取付部からの電力に切り替えられる。これにより、利便性が向上する。
【発明の効果】
【００１８】
第一態様の燃料電池システムでは、ガス燃料の供給が途絶えた場合であっても発電することができる。
【図面の簡単な説明】
【００１９】
【図１】本発明の一実施形態に係る燃料電池システムを示す斜視図である。
【図２】同実施形態の燃料電池システムを示すブロック図である。
【発明を実施するための形態】
【００２０】
以下、本実施形態に係る燃料電池ユニットを備えた燃料電池システムを図１及び図２を参照しつつ説明する。
【００２１】
この燃料電池システム１０は、図１に示したように、燃料ガス及び水を用いて発電を行う蓄熱ユニット一体型の燃料電池ユニット１２と、燃料電池ユニット１２で加熱された上水を目的の温度まで加熱する給湯器ユニット１４とを備えている。
【００２２】
燃料電池ユニット１２の筐体１２ａは、奥行より横幅が長い直方体形状に形成されている。横幅方向に位置する左側面１２ｅから右側面１２ｆまでの幅寸法をＷ１、底面１２ｇから天面１２ｈまでの高さ寸法をＨ１、正面１２ｄから背面１２ｃまでの奥行寸法をＤ１とすると、奥行寸法Ｄ１より幅寸法Ｗ１が長い（Ｄ１＜Ｗ１）。
【００２３】
また、筐体１２ａの右側面１２ｆは、燃料電池側メンテナンス面１２ｂを構成しており、燃料電池側メンテナンス面１２ｂは、例えばフレームにヒンジを介して固定された扉構造や、周縁部がネジで固定された取り外し可能なパネル構造が挙げられる。これにより、燃料電池側メンテナンス面１２ｂを開放することで、燃料電池ユニット１２内部のメンテナンス（保守点検）を側方から行える。
【００２４】
燃料電池側メンテナンス面１２ｂの上部には、排気部の一例である排気口１３が設けられている。また、燃料電池側メンテナンス面１２ｂの下部には、配管が配索される配管部１２ｉが設けられている。
【００２５】
給湯器ユニット１４は、奥行より横幅が長い直方体形状に形成されており、下側を構成する下部構成部１６と、上側を構成する給湯器本体１８と備えている。下部構成部１６及び給湯器本体１８からなる給湯器ユニット１４の筐体１４ａは、横幅方向に位置する左側面１４ｅから右側面１４ｆまでの幅寸法をＷ２、底面１４ｇから天面１４ｈまでの高さ寸法をＨ２、正面１４ｄから背面１４ｃまでの奥行寸法をＤ２とすると、奥行寸法Ｄ２より幅寸法Ｗ２が長い（Ｄ２＜Ｗ２）。
【００２６】
給湯器本体１８の筐体１８ａの右側面（給湯器ユニット１４の右側面１４ｆの上部）は、給湯器側メンテナンス面１８ｂを構成しており、給湯器側メンテナンス面１８ｂは、例えばフレームにヒンジを介して固定された扉構造や、周縁部がネジで固定された取り外し可能なパネル構造が挙げられる。これにより、給湯器側メンテナンス面１８ｂを開放することで、給湯器本体１８内部のメンテナンス（保守点検）を側方から行える。
【００２７】
また、下部構成部１６の筐体１６ａの右側面（給湯器ユニット１４の右側面１４ｆの下部）も、メンテナンス面１６ｂを構成しており、このメンテナンス面１６ｂは、例えばフレームにヒンジを介して固定された扉構造や、周縁部がネジで固定された取り外し可能なパネル構造が挙げられる。これにより、メンテナンス面１６ｂを開放することで、例えば給湯器本体１８に接続された配管のメンテナンス（保守点検）を側方から行える。
【００２８】
燃料電池システム１０の燃料電池ユニット１２は、図２に示すように、発電を行う燃料電池の一例である燃料電池モジュール２０を備えている。燃料電池モジュール２０は、ガス供給路２１を介して、ガス継手２２に接続されており、ガス継手の２２には、ガス供給管２４が接続されている。ガス供給管２４は、逆止弁２４ａを介してガス管接続部２４ｃに接続されており、ガス管接続部２４ｃは、一例として継手で構成される。
【００２９】
ガス管接続部２４ｃには、都市ガス供給管２４ｄが接続されており、都市ガス供給管２４ｄは、ガス本管に接続されている。これにより、ガス供給管２４には、炭化水素原料の一例であるメタンを主成分とする都市ガスが供給される。ガス供給路２１には、脱硫部２６が設けられており、都市ガスに含まれた硫黄分や硫黄化合物が脱硫部２６で除去されて燃料電池モジュール２０に供給される。
【００３０】
また、燃料電池モジュール２０は、供給ポンプ２８を有する改質水流入路３０を介して貯留槽３２に接続されており、燃料電池モジュール２０には、貯留槽３２に貯留された改質水が供給ポンプ２８で供給される。この燃料電池モジュール２０は、都市ガスと改質水とを改質反応させて水素を生成する水素生成部（改質器）を備えている（図示省略）。
【００３１】
燃料電池モジュール２０には、水素生成部での改質反応促進の為に利用した燃焼排ガスを排出する排出路３４が接続されている。排出路３４には、排気熱交換器３６が設けられており、排気熱交換器３６より下流側が貯留槽３２に接続されている。燃料電池モジュール２０からの燃焼排ガスは、排気熱交換器３６で冷却され、含有した水蒸気が凝縮される。これにより、燃焼排ガスは、水とガスとに分けられ、水は貯留槽３２へ送られて改質水として再利用される。また、ガスは、燃料電池側メンテナンス面１２ｂの排気口１３より排気される（図１参照）。
【００３２】
貯留槽３２には、排水ポンプ１００を有した排水路１０２が接続されており、排水路１０２は、排水管１０４を介して下水道に接続されている。排水ポンプ１００は、貯留槽３２の水が所定量以上になった際に作動し、貯留槽３２内の水を、排水管１０４を介して下水道に排出する。
【００３３】
燃料電池モジュール２０は、水素生成部で生成した水素を利用して発電を行う発電部（図示省略）を備えている。燃料電池モジュール２０の発電部からの電力は、インバーター回路３８によって交流に変換された後、接続端子４０ａに接続された供給線９２ａを介して外部へ供給される。この供給線９２ａは、給湯器ユニット１４の接続端子７９も接続されており、給湯器ユニット１４に電力を供給する。
【００３４】
排気熱交換器３６には、供給路４２が接続されている。供給路４２には、熱回収ポンプ４４及びラジエータ４６が設けられており、供給路４２は、ラジエータ４６の上流側が貯湯タンク４８に接続されている。貯湯タンク４８には、伝熱媒体５０が貯留されており、伝熱媒体５０としては、一例として水が使用されている。
【００３５】
この供給路４２は、貯湯タンク４８の下部に接続されており、貯湯タンク４８の下部に貯留した伝熱媒体５０が優先的に排気熱交換器３６へ送られる。貯湯タンク４８から供給路４２に供給された伝熱媒体５０は、ラジエータ４６で冷却された後、熱回収ポンプ４４によって排気熱交換器３６へ送られる。なお、ラジエータ４６は、供給される伝熱媒体５０が高温の際など必要に応じて作動する。
【００３６】
排気熱交換器３６には、排出路５２が接続されており、排気熱交換器３６を通過した伝熱媒体５０は、排出路５２を介して貯湯タンク４８に戻される。排出路５２は、貯湯タンク４８の上部に接続されている。燃料電池モジュール２０からの燃焼排ガスの熱は、排気熱交換器３６によって伝熱媒体５０へ移動され、この熱で加熱された伝熱媒体５０は、貯湯タンク４８の上部に戻される。この排気熱交換器３６や貯湯タンク４８等によって蓄熱ユニットが構成される。
【００３７】
貯湯タンク４８に貯留された伝熱媒体５０は、上水熱交換器５４及び予熱ポンプ５６を有した循環路５８を介して貯湯タンク４８へ戻される。予熱ポンプ５６は、貯湯タンク４８の伝熱媒体５０の熱を利用する際に作動する。
【００３８】
循環路５８の上流側は、貯湯タンク４８の上部に接続されており、貯湯タンク４８の上部に貯留された伝熱媒体５０が優先的に上水熱交換器５４へ供給される。循環路５８の下流側は、貯湯タンク４８の下部に接続されており、上水熱交換器５４で熱が奪われた伝熱媒体５０は、貯湯タンク４８の下部側に戻される。
【００３９】
上水熱交換器５４には、流入側分岐点６０ａを有する流入路６０が接続されている。流入路６０は、入側管継手６２に接続されている。入側管継手６２は、例えば水道管の給水管６４に接続されており、流入路６０には、上水が供給される。
【００４０】
上水熱交換器５４には、流出路６６が接続されている。流出路６６には、流出側分岐点６６ａが設けられており、流出側分岐点６６ａには、補水弁６８を有した補水路７０が接続されている。補水路７０は、貯湯タンク４８の上部に接続されており、補水弁６８を開作動することで、上水熱交換器５４からの上水を伝熱媒体５０として貯湯タンク４８の上部から供給することができる。
【００４１】
流出路６６の流出側分岐点６６ａの下流には、混合弁７２が設けられている。混合弁７２は、バイパス路７４を介して流入側分岐点６０ａに接続されている。混合弁７２は、流入路６０からの上水と上水熱交換器５４からの上水とを混合する弁であり、例えば流出温が予め定められた設定温度となるように、流入路６０からの上水と上水熱交換器５４からの上水との混合比を調整する。
【００４２】
流出路６６の混合弁７２より下流側は、出側継手７６に接続されており、出側継手７６は、出湯管７８を介して、給湯器ユニット１４の入水継手８０に接続されている。
【００４３】
この燃料電池ユニット１２には、各ポンプ２８、４４、５６、１００やインバーター回路３８の作動を制御する制御部の一例を構成する制御基板１１０が設けられている（制御基板１１０と各ポンプ２８、４４、５６、１００との接続線は省略）。この制御基板１１０は、電源ライン１１２を介して電源基板１１４に接続されており、制御基板１１０は、電源ライン１１２からの直流電源で作動するように構成されている。
【００４４】
電源基板１１４の商用電源端子は、接続端子４０ｂに接続されており、電源基板１１４には、電力供給路の一例である給電線９２ｂからの商用電源が供給される。また、電源基板１１４の内部電源端子は、インバーター回路３８の出力端子に接続されており、燃料電池モジュール２０で発電した電力が供給される。
【００４５】
接続端子４０ｂからの商用電源は、電源基板１１４で所定の電圧の直流電源とされ、制御基板１１０へ送られる。制御基板１１０は、マイコン等を備え、マイコンは、各ポンプ２８、４４、５６、１００の制御や、インバーター回路３８で変換する交流の周期の制御を行う。
【００４６】
接続端子４０ｂからの商用電源は、直列接続された抵抗１２０及び整流ダイオード１２２と並列接続されたコンデンサ１２４とからなる整流回路を介して、リレー１２６のコイル１２６ａに供給されている。リレー１２６のスイッチ回路の第一接点端子１２６ｂは、電池取付部の一例であるコネクタジャック１２８の＋端子１２８ａに接続されており、コネクタジャック１２８の−端子１２８ｂは、当該燃料電池ユニット１２のグランドラインに接続されている。また、リレー１２６のスイッチ回路の第二接点端子１２６ｃは、ダイオード１３０を介して、電源ライン１１２に接続されている。
【００４７】
コネクタジャック１２８は、電池１４０（バッテリー）に設けられたコネクタプラグ１４２を脱着可能に接続できるように構成されている。コネクタプラグ１４２の＋端子１４２ａには、電池１４０の正極が接続されており、コネクタプラグ１４２の−端子１４２ｂには、電池１４０の負極が接続されている。これにより、コネクタプラグ１４２をコネクタジャック１２８に接続することで、電池１４０からの電力がコネクタジャック１２８を介して、リレー１２６の第一接点端子１２６ｂ及びグランドライン間に供給されるように構成されている。
【００４８】
このリレー１２６は、コイル１２６ａが非通電のオフ作動時にスイッチ回路の第一接点端子１２６ｂ及び第二接点端子１２６ｃ間が閉じられる。また、リレー１２６は、コイル１２６ａが通電されたオン作動時にスイッチ回路の第一接点端子１２６ｂ及び第二接点端子１２６ｃ間が開かれる。そして、リレー１２６のコイル１２６ａには、商用電源が整流回路を介して印加されている。
【００４９】
これにより、燃料電池ユニット１２の作動に必要な商用電源が供給されリレー１２６がオン作動している間は、スイッチ回路が開かれ、電源ライン１１２には、電源基板１１４からの直流電源が供給される。一方、燃料電池ユニット１２の作動に必要な商用電源の供給が遮断されリレー１２６がオフ作動した際には、スイッチ回路が閉じられ、電源ライン１１２には、コネクタジャック１２８に接続された電池１４０からの電源が供給される。これによって、電力切替手段の一例が構成されている。
【００５０】
給湯器ユニット１４のガス継手８２には、ガス供給管２４が接続されており、給湯器ユニット１４のバーナー１５０には、ガス供給管２４からの都市ガスが供給される。また、給湯器ユニット１４の給湯継手８４には、給湯管８６が接続されており、給湯管８６は、お湯が利用される給湯箇所へ配索されている。そして、  給湯器ユニット１４に接続された排水管８８は、排水管１０４を介して下水道に接続されている
【００５１】
給湯器ユニット１４の入水継手８０には、入水路１５２が接続されており、入水路１５２は、熱交換器１５４に接続されている。熱交換器１５４は、混合弁１５６を有する給湯路１５８を介して給湯継手８４に接続されており、混合弁１５６は、バイパス路１６０を介して入水路１５２の入水側分岐点１５２ａに接続されている。混合弁１５６は、入水路１５２からの上水と熱交換器１５４からの上水とを混合する弁であり、入水路１５２からの上水と熱交換器１５４からの上水との混合比を調整する。
【００５２】
この給湯器ユニット１４は、接続端子７９より供給された交流電源を所定の電圧の直流電源に変換する電源基板１６２を備えており、電源基板１６２からの直流電源が制御基板１６４に供給される。制御基板１６４は、マイコン等を備え、マイコンは、バーナー１５０での燃焼量を調整して熱交換器１５４での上水の加熱量を制御するとともに、混合弁１５６の開度を制御する。これにより、制御基板１６４のマイコンは、給湯管８６からの給湯温が図示しないリモコンで設定された設定温度となるように制御する。
【００５３】
ガス供給管２４には、燃料電池ユニット１２及び給湯器ユニット１４への分岐点２４ｂに補助供給管１７０が接続されている。補助供給管１７０には、逆止弁１７２が設けられており、逆止弁１７２は、分岐点２４ｂ側へのガスの通流のみを許容する。逆止弁１７２の上流には、ボンベ取付部の一例であるジャック１７４が設けられている。
【００５４】
ジャック１７４は、ガスボンベ１７６に設けられたプラグ１７８を脱着可能に接続できるように構成されており、ガスボンベ１７６には、都市ガスと同成分のガス燃料が圧縮され収容されている。これにより、外部からガス供給管２４への都市ガスの供給が遮断され、ガス供給管２４の内圧が低下した際に、逆止弁１７２が開作動することで、ガスボンベ１７６のガス燃料が燃料電池ユニット１２及び給湯器ユニット１４へ供給される。これによって、ガス切替手段の一例が構成されている。
【００５５】
次に、本実施形態の作用及び効果について説明する。
【００５６】
すなわち、外部から都市ガス及び商用電力が供給される通常時には、ガス本管からの都市ガスが都市ガス供給管２４ｄを介して燃料電池モジュール２０に供給される。また、商用電源が給電線９２ｂを介して電源基板１１４に供給され、燃料電池モジュール２０を備えた燃料電池ユニット１２が作動し、発電が行われる。
【００５７】
そして、災害発生時など外部からのガス燃料の一例である都市ガスの供給が遮断された場合、燃料電池モジュール２０への都市ガスの供給が途絶えることによって発電が不能となる。
【００５８】
しかし、本実施形態の燃料電池システム１０にあっては、ガスボンベ１７６が取り付けられるボンベ取付部の一例であるジャック１７４を備えている。このため、このジャック１７４にガスボンベ１７６に設けられたプラグ１７８を接続して、ガス燃料が収容されたガスボンベ１７６を取り付けておけば、ガスボンベ１７６からのガス燃料を燃料電池モジュール２０に供給することができる。これにより、燃料電池モジュール２０による継続的な発電が可能となる。
【００５９】
したがって、都市ガスの供給が途絶えた場合であっても発電することができ、災害時での発電が可能となる。
【００６０】
このとき、ガス管接続部２４ｃからの都市ガスの供給が遮断された際に、燃料電池モジュール２０に供給するガス燃料をジャック１７４に取り付けられたガスボンベ１７６からのガス燃料に切り替えるガス切替手段が逆止弁１７２、２４ａによって構成されている。
【００６１】
このため、燃料電池モジュール２０に供給されるガス燃料を、外部からの都市ガスからボンベ１７６のガス燃料に自動的に切り替えることができる。これにより、利便性が向上する。
【００６２】
そして、ジャック１７４は、プラグ１７８を脱着可能に構成されている。このため、接続されたガスボンベ１７６のガス燃料を使い切った場合には、新たなガスボンベ１７６と交換することができる。
【００６３】
また、燃料電池モジュール２０を備えた燃料電池ユニット１２を作動するためには電力を要し、燃料電池ユニット１２を起動する際には、外部からの電力の供給が必要となる。
【００６４】
ここで、燃料電池ユニット１２の作動中において、災害発生などによって外部からの電力の供給が遮断されても、発電した電力により発電を継続できる。しかし、燃料電池ユニット１２が作動停止状態で、外部からの電力の供給が遮断された場合、燃料電池ユニット１２を起動できなくなり得る。
【００６５】
そこで、本実施形態の燃料電池システム１０にあっては、電池１４０が取り付けられる電池取付部の一例であるコネクタジャック１２８を備えている。このため、コネクタジャック１２８にバックアップ用の電池１４０に設けられたコネクタプラグ１４２を接続し、電池１４０を接続しておけば、この電池１４０から燃料電池ユニット１２の起動に必要な電力を供給することができる。これにより、燃料電池モジュール２０による発電の開始が可能となる。
【００６６】
このとき、発電が開始されると、インバーター回路３８からの電源が電源基板１１４に供給され、電源ライン１１２の電位が、電池１４０による電位より上昇する。これにより、電池１４０から電源ライン１１２への電力供給が遮断され、電池１４０の電力消費を抑制することができる。
【００６７】
また、本実施形態では、給電線９２ｂからの電力の供給が遮断された際に、燃料電池ユニット１２に供給する電力をコネクタジャック１２８からの電力に切り替える電力切替手段がリレー１２６を中心とする電気回路で構成されている。
【００６８】
このため、災害発生時など外部からの電力の供給が遮断された際には、燃料電池ユニット１２に供給される電力を、コネクタジャック１２８に接続された電池１４０からの電力に自動的に切り替えることができる。これにより、利便性が向上する。
【００６９】
そして、コネクタジャック１２８は、コネクタプラグ１４２を脱着可能に構成されている。このため、接続された電池１４０を使い切った場合には、新たな電池１４０と交換することができる。
【００７０】
なお、本実施形態では、燃料電池ユニット１２に接続されたガス供給管２４にボンベ取付部の一例であるジャック１７４を設けた場合について説明したが、これに限定されるものではない。例えば、燃料電池ユニット１２の筐体１２ａにボンベ取付部の一例であるジャック１７４を設けてもよい。
【００７１】
また、ボンベ取付部の一例としてジャック１７４を示したが、これに限定されるものではない。例えばガスボンベ１７６からの配管がネジナット構造によって接続される継手で構成してもよい。
【００７２】
また、本実施形態では、電池１４０が接続されるコネクタジャック１２８を備えた場合を例に挙げて説明したが、これに限定されるものではなく、コネクタジャック１２８を備えない構造であってもよい。
【符号の説明】
【００７３】
１０    燃料電池システム
１２    燃料電池ユニット
２０    燃料電池モジュール（燃料電池）
１２８  コネクタジャック（電池取付部）
１７４  ジャック（ボンベ取付部）
１７６  ガスボンベ
１４０  電池
【図１】
2019009035.tif 000003
【図２】
2019009035.tif 000004
【手続補正書】
【提出日】平成29年9月22日(2017.9.22)
【手続補正１】
【補正対象書類名】明細書
【補正対象項目名】０００７
【補正方法】変更
【補正の内容】
【０００７】
第一態様では、都市ガス等のガス燃料の供給を受けて発電する燃料電池と、該燃料電池へガス燃料を供給する為のガス管接続部と、前記燃料電池へガス燃料の供給をする為の、ガスボンベの取付けが可能なボンベ取付部と、前記ガス管接続部からのガス燃料の供給が遮断された際に、前記燃料電池に供給するガス燃料を前記ボンベ取付部からのガス燃料に切り替えるガス切替手段と、を備え、該ガス切替手段が、前記燃料電池にガス燃料を供給するガス供給管と前記ボンベ取付部との間に設けられ、前記ガス供給管の内圧が低下した際にガスボンベからのガス圧で開作動する逆止弁で構成されている。
【手続補正２】
【補正対象書類名】明細書
【補正対象項目名】００１０
【補正方法】削除
【補正の内容】
【手続補正３】
【補正対象書類名】明細書
【補正対象項目名】００１１
【補正方法】変更
【補正の内容】
【００１１】
また、例えば、災害発生時など外部からのガス燃料の供給が遮断された際には、燃料電池に供給されるガス燃料がボンベ取付部からのガス燃料に切り替えられる。これにより、利便性が向上する。
【手続補正４】
【補正対象書類名】明細書
【補正対象項目名】００１２
【補正方法】変更
【補正の内容】
【００１２】
第二態様では、前記燃料電池を備えた燃料電池ユニットの作動に必要な電力の供給を外部から受ける為の電力供給路と、前記燃料電池ユニットの起動に必要な電力の供給を受ける為の電池が取り付けられる電池取付部と、をさらに備えている。
【手続補正５】
【補正対象書類名】明細書
【補正対象項目名】００１５
【補正方法】変更
【補正の内容】
【００１５】
しかし、第二態様では、電池が取り付けられる電池取付部を備えている。このため、電池取付部にバックアップ用の電池を取り付けることで、この電池から燃料電池ユニットの起動に必要な電力が供給される。これにより、燃料電池による発電の開始が可能となる。
【手続補正６】
【補正対象書類名】明細書
【補正対象項目名】００１６
【補正方法】変更
【補正の内容】
【００１６】
第三態様では、前記電力供給路からの電力の供給が遮断された際に、前記燃料電池ユニットに供給する電力を前記電池取付部からの電力に切り替える電力切替手段をさらに備えている。
【手続補正７】
【補正対象書類名】特許請求の範囲
【補正対象項目名】全文
【補正方法】変更
【補正の内容】
【特許請求の範囲】
【請求項１】
都市ガス等のガス燃料の供給を受けて発電する燃料電池と、
該燃料電池へガス燃料を供給する為のガス管接続部と、
前記燃料電池へガス燃料の供給をする為の、ガスボンベの取付けが可能なボンベ取付部と、
前記ガス管接続部からのガス燃料の供給が遮断された際に、前記燃料電池に供給するガス燃料を前記ボンベ取付部からのガス燃料に切り替えるガス切替手段と、
を備え、
該ガス切替手段が、前記燃料電池にガス燃料を供給するガス供給管と前記ボンベ取付部との間に設けられ、前記ガス供給管の内圧が低下した際にガスボンベからのガス圧で開作動する逆止弁で構成されている燃料電池システム。
【請求項２】
前記燃料電池を備えた燃料電池ユニットの作動に必要な電力の供給を外部から受ける為の電力供給路と、
前記燃料電池ユニットの起動に必要な電力の供給を受ける為の電池が取り付けられる電池取付部と、
をさらに備えた請求項１に記載の燃料電池システム。
【請求項３】
前記電力供給路からの電力の供給が遮断された際に、前記燃料電池ユニットに供給する電力を前記電池取付部からの電力に切り替える電力切替手段をさらに備えた請求項２に記載の燃料電池システム。